(57)【要約】【課題】ＩＣカード等の不揮発性メモリ装置に対してインタフェースの多様化に対応させる。【解決手段】不揮発性メモリ装置はコントローラ（５Ｃ）と、フラッシュメモリ等の不揮発性メモリ（４）と、無線通信回路（１８）とを有する。前記コントローラは不揮発性メモリへのアクセス制御と、前記無線通信回路を介した通信制御とを各々可能とすると共に、認証機能を有する。前記無線通信回路は、無線通信用のアンテナ（１９）を接続可能とされる。【選択図】図２１
2006202336.tif 000002
【特許請求の範囲】
【請求項１】
コントローラと、不揮発性メモリと、無線通信回路とを有し、
前記コントローラは不揮発性メモリへのアクセス制御と、前記無線通信回路を介した通信制御とを各々可能とすると共に、認証機能を有し、
前記無線通信回路は、無線通信用のアンテナを接続可能とされる不揮発性メモリ装置。
【発明の詳細な説明】
【技術分野】
【０００１】
本発明は、ＩＣカードの機能拡張、更にはＩＣカードを用いる携帯情報端末装置の利便性を向上させる技術に関し、例えば、マルチメディアカード（Multi Media Card）若しくはその互換メモリカード等に適用して有効な技術に関する。
【背景技術】
【０００２】
携帯電話、ディジタルネットワーク機器間での情報の移動等を目的として、マルチメディアカードのような小型軽量化及びインタフェースの簡素化を実現したメモリカードが提供されている。マルチメディアカードは、例えばＣＱ出版社発行のインタフェース（１９９９年１２月号）に記載されるように、外部インタフェース端子として７個のコネクタ端子を有し、シリアルインタフェースが採用さて、ＰＣカードやハードディスクが採用するＡＴＡインタフェースに比べてホストシステムの負荷を軽減でき、より簡易なシステムでも利用できるようになっている。また、同文献には、シリアルインタフェースを採用し、９個のコネクタ端子を有し、マルチメディアカードの上位互換メモリカードとしてＳＤカードが提案されている、との記載もある。
【０００３】
【非特許文献１】ＣＱ出版社発行のインタフェース（１９９９年１２月号）
【発明の開示】
【発明が解決しようとする課題】
【０００４】
本発明者はマルチメディアカード等のストレージ系ＩＣカードについて検討した。これによれば、ストレージ系のＩＣカードはＰＣＭＣＩＡ（Personal Computer Memory Card International Association）準拠のＰＣカードをはじめ前記マルチメディアカードも、ストレージカードとしての機能を有するに留まっており、現状では未だ目立った機能拡張はなされていない。特に、携帯電話機やＰＤＡ（Personal Digital Assistants）としての携帯情報端末装置等への適用を想定したとき、そのユーザは各種年齢及び階層に亘るから、ストレージ系のＩＣカードといえども更にユーザフレンドリな機能拡張の必要性が本発明者によって見出された。
【０００５】
本発明の目的は、搭載メモリに対するアクセス状況や空き容量の状態を容易に認識可能なＩＣカードを提供することにある。
【０００６】
本発明の別の目的は、メモリに格納されて転々流通可能にされ改竄の虞もあるとき、メモリに格納すべき情報の著作権保護、プライバシー保護の観点をより、使い勝手の良好なＩＣカードを提供することにある。
【０００７】
本発明の更に別の目的は、インタフェースの多様化にも対応することができるＩＣカードを提供することにある。
【０００８】
本発明のその他の目的は、ストレージ系のＩＣカードの使い勝手を携帯端末装置側で向上させることにある。
【０００９】
本発明の前記並びにその他の目的と新規な特徴は本明細書の記述及び添付図面から明らかになるであろう。
【課題を解決するための手段】
【００１０】
本願において開示される発明のうち代表的なものの概要を簡単に説明すれば下記の通りである。
【００１１】
〔１〕本発明の最初の観点はＩＣカードそれ自体に表示機能を持たせることである。第１の発明はアクセス動作中の状態を表示可能にする。すなわち、半導体集積回路が実装され複数個のコネクタ端子が形成されたカード基板を有し、前記コネクタ端子をケーシングから露出するＩＣカードは、前記半導体集積回路として、前記コネクタ端子に接続されたコントローラと前記コントローラを介してリード・ライト可能にされるメモリとを含み、前記ケーシングから露出させて発光素子が設けられ、前記コントローラは前記発光素子を駆動制御して前記メモリアクセス動作中の状態を表示可能にする。これにより、ＩＣカードそれ自体で内蔵メモリのアクセス動作中の状態が識別可能になり、アクセス中に誤ってＩＣカードをカードソケットから抜いてデータが破壊されてしまう事態の発生を低減させることが可能になる。
【００１２】
第２の発明はメモリの空き容量を表示可能にする。すなわち、半導体集積回路が実装され複数個のコネクタ端子が形成されたカード基板を有し、前記コネクタ端子をケーシングから露出するＩＣカードは、前記半導体集積回路として、前記コネクタ端子に接続されたコントローラと前記コントローラを介してリード・ライト可能にされるメモリとを含み、前記ケーシングから露出させて発光素子が設けられ、前記コントローラは前記発光素子を駆動制御して前記メモリの空き容量の状態を表示可能である。これにより、ＩＣカードそれ自体でメモリの空き容量を識別可能になり、ライト動作の途上で記憶領域の空きが無くなる事態に陥る前に、予備のＩＣカードを予め用意することを促せるようになる。
【００１３】
前記空き容量の表示態様として、ＬＥＤ（Light Emitting Diode）のような発光素子を用いるとき、前記コントローラは、前記発光素子の発光色の相違と発光素子の点灯及び点滅の相違とによって前記メモリの空き容量の状態を表示してよい。
【００１４】
第３の発明は、ＩＣカード上での表示を外部からのコマンドに応答させるものである。すなわち、半導体集積回路が実装され複数個のコネクタ端子が形成されたカード基板を有し、前記コネクタ端子をケーシングから露出するＩＣカードは、前記半導体集積回路として、前記コネクタ端子に接続されたコントローラと前記コントローラを介してリード・ライト可能にされるメモリとを含み、前記ケーシングから露出させて発光素子が設けられ、前記コントローラは前記コネクタ端子から与えられる所定のコマンドに応答して前記発光素子を駆動制御する。
【００１５】
発光素子による表示内容が外部コマンドで指示されるから、ＩＣカードの内部状態若しくはＩＣカードの保有情報に従って表示内容を決定する場合には、ＩＣカードから必要な情報を外部に出力することを要する。例えば、空き容量表示のために、前記メモリはセクタ管理情報の格納領域を有し、前記コントローラは前記格納領域から少なくともメモリの空き容量算定に必要な情報をリードして前記コネクタ端子から出力可能である。また、メモリの格納情報に対するオーソライゼーションの有無判定結果の表示の為には、前記メモリ又はコントローラはオーソライゼーションコードの格納領域を有し、前記コントローラは前記格納領域からオーソライゼーションコードをリードして前記コネクタ端子から出力可能である。また、暗証の正当性の認否結果を表示するためには、前記メモリ又はコントローラは暗証コードの格納領域を有し、前記コントローラは前記格納領域から暗証コードをリードして前記コネクタ端子から出力可能である。
【００１６】
メモリに格納されるデータの著作権保護の一端をＩＣカードで担おうとするとき、前記コントローラには前記メモリにライトするデータを暗号化し、メモリからリードしたデータを復号する機密保護機能を設けるとよい。
【００１７】
〔２〕本発明の第２の観点は、ストレージ系等のＩＣカードの使い勝手を携帯端末装置側で向上させるというものである。この観点による第１の発明は、ＩＣカードのアクセス中の状態を携帯端末装置上に表示するものである。すなわち、入力操作部、データ処理部、表示部、及びカードソケットを有し、前記データ処理部は、前記入力操作部からの入力に応答してデータ処理を行い前記表示部の表示制御及びカードソケットに装着されたＩＣカードの制御を行う携帯端末装置において、前記データ処理部はカードソケットに装着されたＩＣカード内蔵のメモリに対するアクセス動作中の状態を前記表示部に表示可能である。前記表示部としてドットマトリクス表示又はセグメント表示形式の液晶表示部（ＬＣＤ）或いはＬＥＤを採用してよい。
【００１８】
その観点による第２の発明は、ＩＣカードのメモリ空き容量表示を携帯端末装置で行うものである。すなわち、入力操作部、データ処理部、表示部、及びカードソケットを有し、前記データ処理部は、前記入力操作部からの入力に応答してデータ処理を行い前記表示部の表示制御及びカードソケットに装着されたＩＣカードの制御を行う携帯端末装置において、前記データ処理部はカードソケットに装着されたＩＣカードから所定の情報をリードし、リードした情報に基づいてメモリ空き容量の状態を前記表示部に表示可能である。前記表示部として、ドットマトリクス表示部を採用し、そこに表示するアイコンの種類又はパターンの種類に応じて前記メモリ空き容量の状態が表してよい。
【００１９】
ＩＣカードの内部状態に従って表示内容を決定する場合には、ＩＣカードから必要な情報を外部に出力することを要する。メモリの空き容量表示に関しては、前記所定の情報は、カードソケットに装着されたＩＣカードが実現するファイルメモリのセクタ管理情報に含まれる情報である。
【００２０】
第３の発明は、ＩＣカードの記憶情報に応じて表示内容を決定する携帯端末装置である。すなわち、入力操作部、データ処理部、表示部、及びカードソケットを有し、前記データ処理部は、前記入力操作部からの入力に応答してデータ処理を行い前記表示部の表示制御及びカードソケットに装着されたＩＣカードの制御を行う携帯端末装置において、前記データ処理部はカードソケットに装着されたＩＣカードの所定の情報格納領域からリードした情報に対する正当性の認否の結果を表示可能である。このとき、前記所定の情報格納領域はオーソライゼーションコード又は暗証コードの格納に割当てられる領域である。
【００２１】
〔３〕本発明の第３の観点は、ストレージ系等のＩＣカードに対してもインタフェースの多様化に対応できるようにするものである。すなわち、半導体集積回路が実装され複数個のコネクタ端子が形成されたカード基板を有し、前記コネクタ端子をケーシングから露出するＩＣカードは、前記半導体集積回路として前記コネクタ端子に接続されたコントローラと前記コントローラを介してリード・ライト可能にされるメモリとを含み、新たなインタフェースとして、前記コントローラによって送受信制御される赤外線送受信モジュールを採用する。
【００２２】
これに代わるインタフェースとして、前記コントローラによって送受信制御される無線送受信インタフェースモジュールを採用してよい。
【００２３】
或いは送信電力を小さくする事ができる無線通信インタフェースを採用してもよい。すなわち、半導体集積回路が実装され複数個のコネクタ端子が形成されたカード基板を有し、前記コネクタ端子をケーシングから露出するＩＣカードは、前記半導体集積回路は前記コネクタ端子に接続されたコントローラと前記コントローラを介してリード・ライト可能にされるメモリとを含み、更に、情報を送出するアンテナと、前記コントローラから供給されるデータにしたがって前記アンテナを介して無線制御する無線通信制御回路とを有する。前記コントローラは、前記メモリにライトするデータを暗号化し、前記メモリからリードしたデータを復号する機密保護機能を有すると共に、前記コネクタ端子から与えられるコマンドに応答して所定の情報格納領域からリードした情報を前記無線通信制御回路に与える。前記所定の情報格納領域は、例えばオーソライゼーションコード又は暗証コードの格納に割当てられる前記メモリ又はコントローラ上の領域である。
【発明の効果】
【００２４】
本願において開示される発明のうち代表的なものによって得られる効果を簡単に説明すれば下記の通りである。
【００２５】
すなわち、ＩＣカードに搭載されたメモリに対するアクセス状況やＩＣカードに搭載されているメモリの空き容量の状態を容易に認識可能にすることができる。
【００２６】
ＩＣカードのメモリに格納されて転々流通可能にされ改竄の虞もあるとき、メモリに格納すべき情報の著作権保護、プライバシー保護の観点をより、使い勝手の良好なＩＣカードを実現する事ができる。
【００２７】
ＩＣカードのインタフェースの多様化にも対応することができる。更に、ストレージ系等のＩＣカードの使い勝手を携帯端末装置側で向上させることができる。
【発明を実施するための最良の形態】
【００２８】
《表示機能付きメモリカード》
図１の（Ａ）には本発明に係るＩＣカードの一例であるメモリカードの端子面が示され、図１の（Ｂ）にはそのメモリカードのチップ実装面が示される。同図に示されるメモリカードＭＣ１はマルチメディアカードに表示機能を付加したマルチメディアカードに準拠のメモリカードとされる。特に制限されないが、メモリカードＭＣ１の大きさはマルチメディアカードに準拠し、厚さが１．４ｍｍ、平面寸法が２４ｍｍ×３２ｍｍの規格に従っている。
【００２９】
メモリカードＭＣ１のカード基板１は、ガラスエポキシ樹脂等の樹脂基板で成る基板の端子面に、夫々同一形状で矩形のコネクタ端子２が等間隔で７個配置され、実装面には前記コネクタ端子２に１対１対応で接続パッド３が形成されている。接続パッド３はアルミニウム、銅又は鉄合金などの導電パターンで形成される。コネクタ端子２はアルミニウム、銅又は鉄合金などの導電パターンに金メッキやニッケルメッキ等が施されて成る。接続パッド３とコネクタ端子２との接続はカード基板１上の図示を省略する配線パターンとカード基板１の表裏を導通されるスルーホールとによって行われる。
【００３０】
カード基板１の実装面には、例えば電気的に書き換え可能なフラッシュメモリチップ４、コントローラチップ５、及びＬＥＤモジュール１３が設けられている。コントローラチップ５は、コネクタ端子２を介して外部から与えられる指示に従って前記フラッシュメモリチップ４に対するリード・ライト動作を制御する。データセキュリティーを考慮する場合には、前記コントローラチップ５は更に、前記フラッシュメモリチップ４に書込むデータに対して暗号化を行い、前記フラッシュメモリチップ４から読み出したデータに対して復号を行う機密保護機能を備えるようにすればよい。また、コントローラチップ５は前記ＬＥＤモジュール１３に対する表示制御を行う。前記ＬＥＤモジュール１３は赤色のＬＥＤ１３ｒと緑色のＬＥＤ１３ｇとの２個のＬＥＤを発光素子として有する。図２２に例示されるように、前記ＬＥＤ１３ｒ、１３ｇは、メモリカードＭＣ１のケーシング１２の後端面に露出される。メモリカードＭＣ１が図示を省略するカードスロットに装着された状態でもＬＥＤ１３ｒ、１３ｇの点灯または点滅を確認することができる。
【００３１】
前記コントローラチップ５は、前記コネクタ端子２の配列方向に沿って縦長形状を有し、コネクタ端子２側には当該コネクタ端子２に前記接続パッド３を介して接続される複数個のコネクタインタフェース端子５Ｐｉと前記メモリチップ４側には当該メモリチップ４に接続される複数個のメモリインタフェース端子５Ｐｊとを有する。前記メモリチップ４はコントローラチップ５側に当該コントローラチップ５に接続される複数個のコントローラインタフェース端子４Ｐｋを有する。前記接続パッド３は前記コントローラチップ５のコネクタインタフェース端子５Ｐｉにボンディングワイヤ７で接続される。前記コントローラチップ５のメモリインタフェース端子５Ｐｊはメモリチップ４のコントローラインタフェース端子４Ｐｋにボンディングワイヤ８で接続される。９は中継パターンである。
【００３２】
更にカード基板１には、前記コントローラチップ５及び前記メモリチップ４にボンディングワイヤ（又が配線パターン）１１で接続するテスト端子１０を有する。カード基板１は実装面を内側に向けてケーシング１２に取り付け固定され、実装面はケーシング１２で覆われて保護され、端子面はケーシング１２から露出される。尚、ボンディングワイヤ７，８，１１による接続は一例を図示してあり、図示を省略する端子も同様にボンディングワイヤ等で接続されている。
【００３３】
ここで、端子面のコネクタ端子２には便宜上端子番号＃１〜＃７を付してある。マルチメディアカードモードでは＃１はリザーブ端子（オープン又は論理値“１”に固定）、＃２はコマンド端子（コマンド入力及び応答信号出力を行う）、＃３及び＃６は回路の接地電圧（グランド）端子、＃４は電源電圧供給端子、＃５はクロック入力端子、＃７はデータの入出力端子として機能される。ＳＰＩ（Serial Peripheral Interface）モードでは＃１はチップセレクト端子（負論理）、＃２はデータ入力端子（ホスト装置からカードへのデータ及びコマンド入力用）、＃３及び＃６は回路の接地電圧（グランド）端子、＃４は電源電圧供給端子、＃５はクロック入力端子、＃７はデータ出力端子（メモリカードからホスト装置へのデータ及びステータス出力）として機能される。マルチメディアカードモードは複数のマルチメディアカードを同時に使用するシステムに好適な動作モードであり、マルチメディアカードの識別は図示を省略するホスト装置がマルチメディアカードに設定したカード識別ＩＤ（相対アドレス）を用いる。ＳＰＩモードは簡易で安価なシステムでの利用に最適であり、マルチメディアカードの選択はホスト装置から＃１のコネクタ端子に供給されるチップ選択信号によって行われる。何れの動作モードにおいても、コントローラチップ５はホスト装置から与えられるコマンドに応答してメモリチップのアクセス制御とホスト装置とのインタフェース制御を行う。
【００３４】
図２には前記メモリカードＭＣ１の機能ブロック図が示される。コントローラチップ５はインタフェースコントローラ５０、ＬＣＤドライバ５１、フラッシュメモリコントローラ５２、暗号化・復号回路５３、及びセキュリティー回路５４を有する。インタフェースコントローラ５０は前記端子２を介して図示を省略するホスト装置に接続され、ホスト装置から与えられるコマンドを解読して、メモリカード内部の全体的な制御とホスト装置とのインタフェース制御を行う。そのような制御プログラム若しくは状態遷移制御ロジックは、特に制限されないが、インタフェースコントローラ５０の内部に設けられている。制御プログラムをフラッシュメモリ４に配置しておくことも可能である。
【００３５】
前記インタフェース制御は前記端子２を介するマルチメディアカードモード或いはＳＰＩモードによるインタフェース制御である。前記メモリカード内部の全体的な制御は、第１に、セキュリティー回路を利用した認証制御、第２に、フラッシュメモリチップ５に対するライトデータの暗号化とリードデータに対する復号を行う暗号化・復号制御、第３に、フラッシュメモリコントローラ５２を介するフラッシュメモリチップ４のファイルメモリとしてのアクセス制御、第４に、ＬＣＤドライバ５１を介する表示制御である。
【００３６】
前記アクセス制御は、例えばセクタをデータ管理の基本とするようなファイルシステムとの互換を考慮した制御である。例えばデータ若しくはファイルを５１２バイトのようなセクタ単位で管理するために、フラッシュメモリチップ４のメモリアレイを、１セクタに対応する５１２バイト毎のデータエリアとデータエリア毎の管理エリアに分けて利用するようになっている。管理エリアは、対応データエリアに有効データが保持されているか否かというセクタの利用状態を示す情報、後続セクタへのポインティング情報などを有する。それら管理エリアが全体としてセクタ管理テーブル５５を構成することになる。アクセス制御ではアクセス対象ファイルのセクタがフラッシュメモリチップ４の物理アドレスに対応付けられてリード、消去、書込み、ベリファイなどのメモリ動作が行われる。
【００３７】
暗号化・復号制御は、フラッシュメモリチップ４にライトするデータを先ず暗号化・復号回路５３で暗号化させ、暗号化されたデータをフラッシュメモリチップ４に書込み可能にする処理と、フラッシュメモリコントローラ５２でフラッシュメモリチップ４からリードしたデータを暗号化・復号回路５３で復号させ、復号されたデータをインタフェースコントローラ５０から外部に出力可能にする処理とを行う。
【００３８】
前記認証制御について説明する。メモリカードＭＣ１が音楽情報や文学情報等の配信に利用されることを想定すると、そのような情報の著作権保護を考慮する事が望ましい。また、メモリカードに預金情報、保険情報、携帯電話の課金情報、電話番号等が格納されて利用される場合にはそのような情報に対してプライバシー保護を図ることが要求されるであろう。
【００３９】
著作権保護に関しては、例えば複製権に関するオーソライゼーションコードがホスト装置から通知されてセキュリティー回路５４のオーソライゼーションコード管理テーブル５６にセットされ、そのオーソライゼーションコードと対応付けられた音楽情報がホスト装置からダウンロードされ、フラッシュメモリチップ４にライトされ、そのライトメモリアドレスが上記オーソライゼーションコードに対応つけられてセキュリティー回路５４の前記オーソライゼーション管理テーブル５６にセットされる。インタフェースコントローラ５０はホスト装置からのアクセス要求に対して、アクセス対象ファイルのメモリアドレスが前記オーソライゼーション管理テーブル５６上のオーソライゼーションコードに対応付けられたメモリエリアであるか否かを前記オーソライゼーション管理テーブル５６を利用してセキュリティー回路５４に判定させる。オーソライゼーションコードに対応付けられている場合、セキュリティー回路５４は、インタフェースコントローラ５０にオーソライゼーションコードの入力を要求させ、入力されたオーソライゼーションコードがセキュリティー回路５４保有のオーソライゼーションコードに一致しない限り、そのファイルアクセスを許容させない。前記オーソライゼーションコード管理テーブル５６は電気的に書き換え可能な不揮発性メモリによって構成してよい。このオーソライゼーションコード管理テーブル５６は、インタフェースコントローラ５０又はフラッシュメモリ４に配置してもよい。
【００４０】
プライバシー保護に関しては、例えばホスト装置から暗証コードがセキュリティー回路５４の暗証コード管理テーブル５７に一旦セットされると、メモリカードの初期化処理を終了する度に、フラッシュメモリチップ４に対する最初のリードアクセス要求に際して、セキュリティー回路５４は、インタフェースコントローラ５０に暗証コードの入力を要求し、既に暗証コード管理テーブル５７にセットされている暗証コードに一致する暗証コードが外部から入力されるまで、インタフェースコントローラ５０にそのリード要求に応答するメモリアクセス制御を開始させない。前記暗証コード管理テーブル５７は電気的に書き換え可能な不揮発性メモリによって構成してよい。このオーソライゼーションコード管理テーブル５６は、インタフェースコントローラ５０又はフラッシュメモリ４に配置してもよい。
【００４１】
前記表示制御は、フラッシュメモリチップ４に対するアクセス状態表示処理、フラッシュメモリチップの空き容量表示処理、前記認証制御の結果を表示する認証結果表示処理を行う。
【００４２】
前記表示制御は、特に制限されないが、コマンド入力待ち状態（スタンバイ状態）で入力されるコマンドに応答して行われる。スタンバイ状態が最初に実現されるのは、単数又は複数個のメモリカードＭＣ１の初期化処理の後である。
【００４３】
先ず、ホスト装置によるメモリカードに対する初期化処理を図３を参照しながら説明する。例えば、初期化処理は単数又は複数個のメモリカードＭＣ１に対する電源投入によって開始され（Ｓ１）、その後、ホスト装置はメモリカードＭＣ１に所定サイクル数でクロック信号を投入し、メモリカードＭＣ１の内部回路を初期化させ（Ｓ２）、その後、メモリカードＭＣ１を選択する（Ｓ３）。ＳＰＩモードではホストシステムがチップ選択信号にてメモリカードＭＣ１を選択する。選択されたメモリカードＭＣ１に対してホスト装置は、インタフェースコントローラ５０内のカードＩＤレジスタが保有するカード固有識別情報をホスト装置に出力させ（Ｓ４）、ホスト装置はそのカード固有識別情報に対応させて当該メモリカードＭＣ１の相対アドレスを通知する（Ｓ５）。これによってメモリカードＭＣ１にはその相対アドレスによってその他のメモリカードと区別され、スタンバイ状態にされて（Ｓ６）、コマンド入力待ち状態にされる。一方、初期化処理においてマルチメディアカードモードでは、コマンドにてメモリカードＭＣ１が選択される。選択されたメモリカードＭＣ１は上記同様にカード固有識別情報に対応させて当該メモリカードＭＣ１の相対アドレスが決定されることによってその他のメモリカードと区別され、スタンバイ状態にされて、コマンド入力待ち状態にされる。
【００４４】
図４にはインタフェースコントローラ５０によるアクセス状態表示処理の制御フローが示される。スタンバイ状態（Ｓ６）においてホスト装置からアクセス要求があると（Ｓ７）、インタフェースコントローラ５０はそのアクセス要求を完了するまでの間に、フラッシュメモリコントローラ５２を介してフラッシュメモリチップ４に、消去、書込み、リード、又はベリファイなどの動作を指示する度に（Ｓ８）、ＬＣＤドライバ５１に対してＬＥＤモジュールを点滅駆動させる（Ｓ９）。例えば、その時の点滅動作は赤、緑の交互点滅である。ステップＳ８、Ｓ９の処理はホスト装置からの前記アクセス要求にすべて応答するまで繰り返される（Ｓ１０）。メモリカードは再びスタンバイ状態に戻され（Ｓ６）、スタンバイ状態が続く限り上記処理が繰り返される。
【００４５】
メモリアクセス動作中の状態を表示可能であるから、メモリカードＭＣ１それ自体で内蔵メモリ４のアクセス動作中の状態が識別可能になり、アクセス中に誤ってメモリカードＭＣ１をカードソケットから抜いてデータが破壊されてしまう事態の発生を低減させることが可能になる。
【００４６】
図５にはインタフェースコントローラ５０によるフラッシュメモリチップの空き容量表示処理の制御フローが示される。前記スタンバイ状態において（Ｓ６）、ホスト装置から空き容量表示コマンドを受け取ると（Ｓ１１）、インタフェースコントローラ５０はフラッシュメモリチップ４の前記セクタ管理領域から前記セクタの利用状況を示す情報を読み込んで（Ｓ１２）、フラッシュメモリチップのデータエリアの空き容量が例えば、１００〜７０％、７０〜５０％、５０〜２０％又は２０％以下の何れに該当するかを演算する（Ｓ１３）。そしてインタフェースコントローラ５０はその演算結果にしたがってＬＣＤドライバ５１でＬＣＤモジュールを所定期間発光駆動する（Ｓ１４）。例えば、空き容量が１００〜７０％のときはＬＥＤ１３ｇを緑色に点灯させ、空き容量が７０〜５０％のときはＬＥＤ１３ｇを緑色に点滅させ、空き容量が５０〜２０％のときはＬＥＤ１３ｒを赤色に点滅させ、空き容量が２０％以下のときはＬＥＤ１３ｒを空く色に点灯させる。所定期間の発光駆動後、メモリカードＭＣ１はスタンバイ状態に戻される（Ｓ６）。
【００４７】
前記インタフェースコントローラ５０は前記ＬＥＤモジュール１３を駆動制御して前記メモリ４の空き容量の状態を表示可能であるから、メモリカードＭＣ１それ自体でメモリの空き容量を識別可能になり、ライト動作の途上で記憶領域の空きが無くなる事態に陥る前に、予備のメモリカードを予め用意することを促せるようになる。
【００４８】
図６にはインタフェースコントローラ５０による前記認証結果表示処理の制御フローが示される。セキュリティー回路５４が認証制御を開始するとき（Ｓ２０）、即ち、前記著作権保護に関するオーソライゼーションコードをインタフェースコントローラ５０を介してホスト装置から入力させ、或いは前記セキュリティー回路５４が前記プライバシー保護に関する暗証コードをインタフェースコントローラ５０を介してホスト装置から入力させるとき、セキュリティー回路５４はインタフェースコントローラ５０にＬＥＤドライバ５１を介してＬＥＤモジュール１３を発光駆動させる（Ｓ２１）。この時の発光駆動は、特に制限されないが、赤緑の同相点滅である。セキュリティー回路５４は入力したオーソライゼーションコード又は暗証コードに対する正当性を判断し、正当性の承認に呼応して（Ｓ２２）、前記ＬＥＤモジュール１３の点滅を停止させて（Ｓ２３）、認証結果表示処理を終了する。
【００４９】
上記により、認証制御の結果をメモリカードＭＣ１を介して認識することが可能になる。換言すれば、メモリカードＭＣ１に格納されて転々流通可能にされ改竄の虞もあるとき、メモリに格納すべき情報の著作権保護、プライバシー保護の観点をより、メモリカードＭＣ１の使い勝手が良好になる。
【００５０】
図７には前記ＬＥＤモジュール１３の駆動形式が数種類例示されている。図７の（Ａ），（Ｂ），（Ｃ）に示される駆動形式は、制御信号Ｓｒｅ，ＳｇｒでＬＥＤ１３ｒ、１３ｇを夫々単独に制御できる形態である。一方、図７の（Ｄ）はＬＥＤ１３ｇと１３ｒのアノードとカソードを相互に逆にして並列接続し、ＬＥＤ駆動回路の駆動インバータの電源を＋Ｖと−Ｖとして駆動する形式である。駆動制御信号Ｓｃｏは双方のＬＥＤ１３ｒ、１３ｇに共通である。この駆動形式では双方のＬＥＤ１３ｒ，１３ｇを完全並列に点灯又は点滅駆動する事はできないが、制御信号Ｓｃｏの周波数を常時高くしてやれば、緑と赤の混合色である橙色に発光させる事ができ、制御信号Ｓｃｏを間欠的に一定レベルと高周波に切り換えれば、赤色と橙色の交互点滅、緑色と橙色の交互点滅を実現できる。図７の（Ａ），（Ｂ），（Ｃ）の代わりに図７の（Ｄ）を採用する場合には、赤と緑の同相点滅の代わりに赤色と橙色の交互点滅を採用し、赤と緑の交互点滅の代わりに緑色と橙色の交互点滅を採用すればよい。
【００５１】
《携帯電話装置》
次にメモリカードの状態を表示する機能を備えた携帯端末装置について説明する。図８には携帯電話装置１００のブロック図が示される。
【００５２】
音声はマイクロフォン１０１によりアナログ音声信号として取り込まれ、Ａ／Ｄ変換器１０２によりディジタル音声信号に変換され、データプロセッサ１０３に入力される。データプロセッサ１０３は、受け取ったディジタル音声信号に対する音声符号化処理及びレイヤ処理としてのチャネルコーデック処理等を行い、処理信号を送信信号として出力する。前記音声符号化処理及びチャネルコーデック処理等は、特に制限されないが、ＤＳＰを用いて行われる。特に図示はしないが、データプロセッサ１０３は、前記チャネルコーディックや音声コーディックの為のアクセラレータを内蔵してよい。
【００５３】
データプロセッサ１０３で生成された送信信号は例えばＧＭＳＫ変調回路１０４によって変調され、更にＤ／Ａ変換器１０５のよりアナログ信号に変換され、高周波送信部（ＲＦ送信部）１０６によりアンテナ１０７を介して送信される。
【００５４】
アンテナ１０７で受信された受信信号は、高周波受信部（ＲＦ受信部）１０８によって受信され、Ａ／Ｄ変換器１０９にてディジタル信号に変換され、データプロセッサ１０３に取り込まれる。データプロセッサ１０３は、ビタビ復号処理、音声復号処理等を行い、音声信号を取り出し得て出力する。ビタビ復号処理、音声復号処理等はＤＳＰ又は図示を省略するアクセラレータによって行われる。
【００５５】
データプロセッサ１０３より出力された音声信号はＤ／Ａ変換器１１０によりアナログ音声信号に変換され、スピーカ１１１から音声として出力される。
【００５６】
図８の携帯電話装置１０においてデータプロセッサ１０３は中央処理装置（ＣＰＵ）１１２、ダイレクトメモリアクセスコントローラ（ＤＭＡＣ）１１３、前記ＣＰＵ１１２の動作プログラムなどを保有するリード・オンリ・メモリ（ＲＯＭ）１１４、前記ＣＰＵ１１２のワーク領域に利用されるランダム・アクセス・メモリ（ＲＡＭ）１１５、及び入出力ポートやシリアルインタフェースなどの入出力回路（Ｉ／Ｏ）１１６を有する。特に制限されないが、図５の携帯電話装置１００の例では、データプロセッサ１０３は音声符号化復号のための音声コーデック処理、レイヤ処理としてのチャネルコーディック処理、及びシステム制御処理などの動作プログラムは前記ＲＯＭ１１４が保有する。ＤＭＡＣ１１３に対する転送制御条件の設定処理は前記ＲＯＭ１１４に格納された動作プログラムをＣＰＵ１１２が実行して行うようになっている。
【００５７】
特に制限されないが、前記データプロセッサ１０３のＩ／Ｏ１１６には、入力スイッチ部１２０、表示コントローラ１２１、及びカードインタフェースコントローラ１２２が接続されている。入力スイッチ部１２０はファンクション指定によって数字及び文字等を入力可能な多数の入力スイッチを有している。カードインタフェースコントローラ１２２はカードソケット１２３に装着されたメモリカードＭＣ２とデータプロセッサ１０３との間のインタフェース制御を行う。ここでメモリカードＭＣ２は、前記メモリカードＭＣ１に対して、ＬＤＥモジュール１３を備えず、前記インタフェースコントローラ５０による表示制御機能、即ち前記アクセス状態表示処理、空き容量表示処理、及び認証結果表示処理の制御機能を有していない点が相違される。前記表示制御は携帯電話装置１００のデータプロセッサ１０３が、表示コントローラ１２１、液晶ディスプレイ１２５、及びＬＥＤモジュール１２６を用いて行う。携帯電話装置１００では、前記アクセス状態、空き容量、及び認証結果の表示制御機能の他に、データプロセッサ１０３は送信電話番号、着信電話番号、通信状態、バッテリ電圧など、携帯電話装置１００の状態を表示コントローラ１２１を介して液晶ディスプレイ１２５に適宜表示制御する機能を有している。また、データプロセッサ１０３はバッテリ充電動作中の状態をＬＥＤモジュール１２６で表示するために、充電未完了状態において赤色のＬＥＤ１２６ｒを点灯させ、充電完了状態において緑色のＬＥＤ１２６ｇを点灯させる。ＬＥＤモジュール１２６の駆動形式は図７と同様に構成してよい。
【００５８】
データプロセッサ１０３による前記アクセス状態表示処理、空き容量表示処理、及び認証結果表示処理の制御機能について説明する。それら処理による表示制御対象は前述と同様にＬＥＤモジュール１２６であってもよい。或いは液晶ディスプレイ１２５を用いてもよい。
【００５９】
データプロセッサ１０３によるアクセス状態表示処理は次のように行われる。即ち、データプロセッサ１０３は、メモリカードＭＣ２にアクセスコマンドを発行したとき、メモリカードＭＣ２から応答が返されてからアクセスの終了が通知されるまでの間、ＬＥＤモジュール１２６を点滅駆動させる。例えば、その時の点滅動作は赤、緑の交互点滅である。
【００６０】
データプロセッサ１０３による空き容量表示の表示態様は、特に制限されないが、液晶ディスプレイ１２５に図９の（Ａ）乃至（Ｃ）で代表されるアイコン表示で行い、或いは図１０の（Ａ）乃至（Ｃ）で代表されるレベルインジケータ表示で行う。アイコン表示ではアイコン全体の大きさに対する黒い領域の面積が空き容量を相対値として示し、黒領域の面積比が相違される複数個のアイコンを空き容量の減少に従って選択して、表示させるようになっている。レベルインジケータ表示では複数個の素片の数に対する黒い素片の数が空き容量を相対値として示し、黒素片の数は空き容量減少に従って一つづつ少なくされる。空き容量表示の表示態様は前述のＬＥＤ表示であってもよい。
【００６１】
図１１にはデータプロセッサ１０３によるメモリカードＭＣ２内蔵フラッシュメモリチップの空き容量表示処理の制御フローが示される。メモリカードＭＣ２のスタンバイ状態において、データプロセッサ１０３はメモリカードＭＣ２に空き容量情報取得コマンドを発行する（Ｓ３０）。これによってメモリカードＭＣ２のインタフェースコントローラはフラッシュメモリチップの前記セクタ管理領域から前記セクタの利用状況を示す情報をリードして、データプロセッサ１０３に返す。データプロセッサ１０３はセクタ利用状況を示す情報を入力し（Ｓ３１）、これに基づいてフラッシュメモリチップのデータエリアの空き容量を判定し（Ｓ３２）、判定した空き容量に応答する表示データを表示コントローラ１２１のレジスタにロードし（Ｓ３３）、ロードした表示データに従って液晶ディスプレイ１２５に空き容量を表示させる（Ｓ３４）。アイコン表示であればそのときの空き容量に対応されるアイコンデータを選択して液晶ディスプレイ１２５の所定位置に表示し、レベルインジケータ表示であればそのときの空き容量に対応される数の素片を液晶ディスプレイ１２５上で黒く表示する。データプロセッサ１０３による空き容量情報取得コマンドの発行はカードソケット１２３にメモリカードＭＣ２が装着されているとき、所定インターバルで繰り返し行われ、インターバル間では直前の表示データがレジスタに維持されて空き容量表示を常時行う事ができるようになっている。
【００６２】
図１２にはデータプロセッサ１０３による前記認証結果表示処理の制御フローが示される。メモリカードＭＣ２のセキュリティー回路が認証制御を開始するとき、即ち、データプロセッサ１０３が前記著作権保護に関するオーソライゼーションコードをメモリカードＭＣ２のインタフェースコントローラに供給し、或いはデータプロセッサ１０３が前記プライバシー保護に関する暗証コードをメモリカードＭＣ２のインタフェースコントローラを介して前記セキュリティー回路に供給するとき（Ｓ３５）、データプロセッサ１０３は表示コントローラ１２１を介して液晶ディスプレイ１２５に“認証処理中”の表示をさせる（Ｓ３６）。セキュリティー回路は入力したオーソライゼーションコード又は暗証コードに対する正当性を判断する。データプロセッサ１０３は、セキュリティー回路による正当性の判定結果を受け取ると（Ｓ３７）、今度は、表示コントローラ１２１を介して液晶ディスプレイ１２５に“認証ＯＫ”を表示し、一定時間その標示を維持して（Ｓ３８）、認証結果表示処理を終了する。
【００６３】
上記により、アクセス状態表示、空き容量表示、及び認証結果表示などのメモリカードＭＣ２の使い勝手を携帯電話装置１００側で向上させる事が可能になる。
【００６４】
《インタフェースの多様化》
次に、コネクタ端子の他に或いはコネクタ端子に代えて非接触のインタフェースを備えたメモリカードについて説明する。
【００６５】
図１３の（Ａ）には別のメモリカードの端子面が示され、図１３の（Ｂ）にはそのメモリカードのチップ実装面が示される。同図に示されるメモリカードＭＣ３は、マルチメディアカードに対してデータ端子が８ビットとされる上位互換を実現すると共に赤外線インタフェースを機能を追加したメモリカードとされる。メモリカードＭＣ１に対する端子面の相違は、コネクタ端子２及び接続パッド３が１３個配置される点である。前記端子番号＃１〜＃７はマルチメディアカード準拠メモリカードＭＣ１とレイアウト構成が同一であり、追加された６個のコネクタ端子は端子番号＃８〜＃１３とされる。カード基板１Ａの実装面には、フラッシュメモリチップ４、コントローラチップ５Ａ、及び赤外線送受信（ＩｒＤＡ）モジュール１４が設けられている。ＩｒＤＡモジュールは赤外線発光ダイオード１４ｔｒと赤外線フォトダイオード１４ｒｃとによって構成される。
【００６６】
前記＃１〜＃７のコネクタ端子２はカード基板１Ａに対して第１列目のコネクタ端子列を構成し、追加された前記＃８〜＃１３のコネクタ端子２は第１列目のコネクタ端子列に対して離間配置された第２列目のコネクタ端子列を構成する。＃９〜＃１２のコネクタ端子２の大きさは他のコネクタ端子２の大きさと同じである。第１列目のコネクタ端子列と第２列目のコネクタ端子列とはコネクタ端子の列方向配置が列方向で相互にずれている。コネクタ端子２の端子間領域に着目すれば、第１列目のコネクタ端子列の端子間領域の配列と第２列目のコネクタ端子列の端子間領域の配列とが列方向で相互にずれている。要するに、第１列目と第２列目のコネクタ端子は列相互間で千鳥状に配置されている。
【００６７】
このメモリカードＭＣ３は、端子＃２〜＃７がマルチメディアカード準拠メモリカードＭＣ１のマルチメディアカードモードと同一機能に割り当てられ、当該マルチメディアカードモードにおいてリザーブ端子であった端子＃１は第４ビット目のデータ端子ＤＡＴＡ３、追加された端子＃８、＃９、＃１０、＃１１、＃１２、＃１３は順次第２ビット目のデータ端子ＤＡＴＡ１、第５ビット目のデータ端子ＤＡＴＡ４、第７ビット目のデータ端子ＤＡＴＡ６、第８ビット目のデータ端子ＤＡＴＡ７、第６ビット目のデータ端子ＤＡＴＡ５、第２ビット目のデータ端子ＤＡＴＡ１とされる。第１ビット目のデータ端子ＤＡＴＡ０はマルチメディアカードモードと同じ端子＃７である。従ってこのメモリカードＭＣ３は、前記メモリカードＭＣ１のマルチメディアカードモードにおいてデータ入出力が８ビット並列で可能にされる点で前記メモリカードＭＣ１と相違される。
【００６８】
更にこのメモリカードＭＣ３は、前記マルチメディアカード準拠メモリカードＭＣ１に対して下位互換モードを備える。即ち、コントローラチップ５Ａは、前記８ビットのデータ用端子＃１、＃７〜＃１３の内の１ビット＃７を用いる１ビットモードと、前記８ビットのデータ用端子＃１、＃７〜＃１３の内の４ビット＃１、＃７、＃８、＃１３を用いた４ビット並列入出力を行う４ビットモードと、前記８ビットのデータ用端子＃１、＃７〜＃１３を用いた８ビット並列入出力を行う８ビットモードとを有する。
【００６９】
前記動作モードの設定は所定のコネクタ端子の状態又は所定のコネクタ端子からのコマンド入力状態に応答して設定すればよい。例えば、メモリカードＭＣ３をマルチメディアカード準拠メモリカードＭＣ１のカードソケットに装着したとき前記端子＃８〜＃１３はフローティングになるから、電源投入時にコントローラチップ５Ａが前記４ビットモードとの相違を認識できるデータ端子ＤＡＴＳＡ１，ＤＡＴＡ２の双方又は一方のコネクタ端子２のフローティング状態をソフト的又はハード的に（ソフトウェアを専ら利用し又はハードウェア的な構成を専ら利用して）検出することにより、当該メモリカードＭＣ３に前記１ビットモードを設定すればよい。
【００７０】
また、前記メモリカードＭＣ３をそれ専用のカードソケットに装着したとき前記端子＃９〜＃１２はカードソケットのソケット端子に導通されるから、電源投入時にコントローラチップ５Ｂが少なくともデータ端子ＤＡＴＳＡ４〜ＤＡＴＡ７の全部又は一部にホスト装置から特定の信号若しくはコマンドが供給されるのを検出することによって当該メモリカードＭＣ３に前記８ビットモードを設定すればよい。
【００７１】
コントローラチップ５Ａは接続パッド３に接続されるデータ入出力端子の数が８個である点で前記コントローラチップ５と相違する。その他の構成は図１と同様であり、同一機能を有する回路要素には同一符号を付してその詳細な説明を省略する。
【００７２】
図１４には前記メモリカードＭＣ３の機能ブロック図が示される。コントローラチップ５Ａはインタフェースコントローラ５０Ａ、ＩｒＤＡコントローラ５１Ａ、フラッシュメモリコントローラ５２、暗号化・復号回路５３、及びセキュリティー回路５４を有する。インタフェースコントローラ５０Ａは前記端子２を介して図示を省略するホスト装置に接続され、ホスト装置から与えられるコマンドを解読して、メモリカード内部の全体的な制御とホスト装置とのインタフェース制御を行う。前記メモリカード内部の全体的な制御は、メモリカードＭＣ１と同様であり、セキュリティー回路を利用した認証制御、フラッシュメモリチップ４に対する暗号化・復号制御、フラッシュメモリコントローラ５２を介するフラッシュメモリチップ４のファイルメモリとしてのアクセス制御である。メモリカード内部の全体的な制御やホスト装置とのインタフェース制御のための制御プログラム若しくは状態遷移制御ロジックは、特に制限されないが、インタフェースコントローラ５０Ａの内部に設けられている。制御プログラムをフラッシュメモリ４に配置しておくことも可能である。
【００７３】
前記インタフェース制御として、前記メモリカードＭＣ１と同様の前記端子２を介するマルチメディアカードモード或いはＳＰＩモードによるインタフェース制御、更に、ＩｒＤＡモジュール１４を用いた赤外線インタフェース制御を有する。ＩｒＤＡコントローラ５１Ａによる赤外線インタフェース制御のための動作プログラムは例えばフラッシュメモリ４又はインタフェースコントローラ５０Ａに格納されている。前記赤外線インタフェース制御は、例えば赤外線データ協会（Infrared Data Association）で標準化された２．４〜１１５．２Ｋｂｐｓの中低速度の公知の通信規格に準拠し、偏重方式にＲＺ（Return to Zero）方式を採用し、パルス幅を１．６μ秒からビット時間の１６分の３まで可変可能にされているものである。
【００７４】
前記メモリカードＭＣ３は図１５で代表されるように例えば前記携帯電話装置１００のカードスロットに装着される。ＩｒＤＡコントローラ５１Ａに対する通信制御条件の設定や通信動作の指示はデータプロセッサ１０３からインタフェースコントローラ５０Ａを介してコマンドで与えられる。
【００７５】
携帯電話装置１００に搭載されたメモリカードＭＣ３は例えば図１６に例示されるよう赤外線通信機能を有するパーソナルコンピュータ２００と赤外線通信を行う事ができる。相互に電話帳データを転送するような利用形態だけでなく、パーソナルコンピュータ２００に携帯電話用モデム回路若しくは携帯電話用モデムカードが装着されているとき、当該モデムの通信ターミナルとして前記携帯電話装置１００を利用し、そのとき、携帯電話装置１００とパーソナルコンピュータ２００との間のデータ通信を赤外線で行うことが可能である。
【００７６】
前記赤外線通信機能を搭載したＩＣカードは前述のメモリカードＭＣ３に代表されるストレージ系ＩＣカードに限定されない。例えばモデムカードに赤外線通信機能を付加して、携帯電話装置に装着可能にすれば、パーソナルコンピュータ２００に携帯電話対応モデムを用意しなくても、携帯電話装置１００を通信ターミナルとしてパーソナルコンピュータ２００を用いてデータ通信を行うことができる。
【００７７】
また、前記メモリカードＭＣ３若しくはＩＣカードは赤外線を用いた無線ＬＡＮ（Local Area Network）に適用することも可能であり、そのための通信プロトコルをＩｒＤＡコントローラ５１Ａ若しくはインタフェースコントローラ５０ＡにＲＯＭなどで保持させればよい。
【００７８】
図１７には無線ＬＡＮの別の例として電波（電磁波）ＬＡＮをサポートするメモリカードＭＣ４のブロック図が示される。メモリカードＭＣ４はカード基板に電波ＬＡＮインタフェースモジュール１６及びアンテナ１７を有すると共に、ＦＲＡＭ（登録商標）と称されるような強誘電体メモリチップ４Ｂ及びコントローラチップ５Ｂを有する。コントローラチップ５Ｂと電波ＬＡＮインタフェースモジュール１６とは１チップで構成しても良い。
【００７９】
前記強誘電体メモリチップは記憶素子となるキャパシタに例えばＰＺＴ（チタン酸ジルコン酸鉛）等の強誘電体材料を用いたメモリで、強誘電体材料の持つ分極現象を利用し、自発分極の二つの安定した状態に論理値１，０を対応させて記憶するものであり、不揮発性ＲＡＭを実現する。強誘電体メモリチップはフラッシュメモリなどの不揮発性メモリに比べて高速書換え及び低消費電力などの特徴を有する。
【００８０】
電波ＬＡＮインタフェースモジュール１６はインタフェースコントローラ５０Ｂから与えられた送信信号を高周波信号としてアンテナ１７から送信し、アンテナ１７で入信した高周波信号を検波し、検波した信号成分を増幅し且つ量子化してインタフェースコントローラ５０Ｂに与える。インタフェースコントローラ５０Ｂはホスト装置から与えられる無線送受信コマンドにしたがって、送信すべきデータを無線ＬＡＮインタフェースモジュール１６に与え、無線ＬＡＮインタフェースモジュール１６からの受信データを入力して処理する。無線ＬＡＮインタフェースモジュール１６は、前記認証制御のための暗証コードの入出力に用いたり、或いは前記アクセス制御に際してオーソライゼーションコードの出力等に用いてもよい。
【００８１】
電波ＬＡＮ等の無線ＬＡＮの周波数帯は２．４ＧＨｚ帯、１９ＧＨｚ帯などである。無線ＬＡＮの通信範囲は携帯電話装置による通信エリアに比べて狭いのが通例であるから、送信電力も小さく、また、携帯電話網を用いないので通信コストも低い。この意味において、無線ＬＡＮによるインタフェース手段を備えたメモリカードＭＣ４のようなＩＣカードを携帯電話装置２００Ａ、２００Ｂに搭載して、図１８のように相互にデータ通信を行う事には、低消費電力及び通信コストの低減というメリットがある。
【００８２】
尚、５２Ｂで示される強誘電体メモリコントローラと４Ｂで示される強誘電体メモリチップの代わりにＥＥＰＲＯＭコントローラ及びＥＥＰＲＯＭチップを使用してもよい。
【００８３】
図１９及び図２０には前記アンテナ１７の具体例が示される。図１９の例は端子２を有する端子面にのみ導電パターンが形成される１層配線基板を用いたときの例である。アンテナ１７は端子面に導電パターンとして形成される。電波ＬＡＮインタフェースモジュール１６は配線基板の実装面に設けられ、アンテナ１７の両端は基板の開口１７Ａを介して実装面に露出され、その部分がボンディングワイヤ１７Ｂによって電波ＬＡＮインタフェースモジュール１６のボンディングパッドに接続される。図では強誘電体メモリ４Ｂは図示を省略してある。
【００８４】
図２０の例は端子面と実装面の双方に導電パターンが形成される２層配線基板を用いたときの例である。アンテナ１７は端子面に導電パターンとして形成される。電波ＬＡＮインタフェースモジュール１６は配線基板の実装面に設けられ、アンテナ１７の両端はスルーホール１７Ｃを介して実装面の配線パターン１７Ｄに連通され、この配線パターン１７Ｄの端部がボンディングワイヤ１７Ｂによって電波ＬＡＮインタフェースモジュール１６のボンディングパッドに接続される。図では強誘電体メモリ４Ｂは図示を省略してある。
【００８５】
図２１には送信電力を小さくする事ができる無線通信制御回路を採用したメモリカードＭＣ５が示される。メモリカードＭＣ５はカード基板に無線通信制御回路１８及びアンテナ１９を有すると共に、フラッシュメモリチップ４及びコントローラチップ５Ｃを有する。コントローラチップ５Ｃと無線通信制御回路１８とは１チップで構成してもよい。無線通信制御回路１８は前記インタフェースコントローラ５０Ｃから供給されるデータにしたがって前記アンテナ１９へ搬送波の情報をのせた方式で送信または受信を行うものである。前記所定の情報格納領域は、例えばオーソライゼーションコード又は暗証コードの格納に割当てられたてーブル５６，５７、或いはフラッシュメモリ４のデータエリアである。
【００８６】
例えば、前記アンテナ１９はダイポールアンテナであり、カード基板に導電パターンとして形成され、例えば外部から照射される電波の半波長の電流分布が生ずるような形状にされている。無線通信制御回路１８は、例えばアンテナ制御として、ダイポールアンテナの間に配置されて開閉可能なスイッチングトランジスタを有し、スイッチングトランジスタを閉じる事によってアンテナ１９を短絡し、開く事によってアンテナ１９の特性インピーダンスを所定値にする。スイッチングトランジスタのスイッチング制御信号はインタフェースコントローラ５０Ｃから与えられる論理値１又は０の送信信号である。したがって、ダイポールアンテナ１９の終端抵抗は送信すべき信号応じて０又は所定値にされる。ダイポールアンテナ１９の放射インピーダンスと負荷インピーダンスが等しいときは最大の受信電力が得られるが、負荷インピーダンスが０であれば、アンテナ端子に出力される受信電圧は０になり、アンテナ自身に流れる電流の定在波比が増大して再放射電力が増加する。即ち、このときダイポールアンテナ１９は反射器として動作し、外部からダイポールアンテナ１９に一定所定周波数の信号が放射されていれば、外部ではその反射波を受信する事ができる。外部において、経時的に変化されるその反射波を受信すれば、当該受信信号はダイポールアンテナ１９のインピーダンス変化に応じて変調された信号、換言すればインタフェースコントローラ５０Ｃが送信した信号と見なすことができる。このようにダイポールアンテナ１９は送信電力を必要としないから低消費電力を実現してもよい。
【００８７】
以上本発明者によってなされた発明を実施形態に基づいて具体的に説明したが、本発明はそれに限定されるものではなく、その要旨を逸脱しない範囲において種々変更可能であることは言うまでもない。
【００８８】
例えば、ＩＣカードはメモリカード又はモデムカードに限定されず、メモリカード機能とモデムカード機能を備えた複合カードにも本発明は適用可能である。メモリチップは不揮発性メモリに限定されず揮発性のＲＡＭであってもよい。また、カード基板の大きさ、コネクタ端子の数、及びコネクタ端子の機能などは上記説明に限定されず、適宜変更可能である。また無線通信制御は、上述のようにアンテナの特性インピーダンス変換を行うようなアンテナ制御に限定されない。
【図面の簡単な説明】
【００８９】
【図１】本発明に係るＩＣカードの一例であるメモリカードの端子面とチップ実装面を示す説明図である。
【図２】第１の例に係るメモリカード機能ブロック図である。
【図３】ホスト装置によるメモリカードに対する初期化処理をフローチャートである。
【図４】インタフェースコントローラによるアクセス状態表示処理を示すフローチャートである。
【図５】インタフェースコントローラによるフラッシュメモリチップの空き容量表示処理を示すフローチャートである。
【図６】インタフェースコントローラによる前記認証結果表示処理を示すフローチャートである。
【図７】ＬＥＤモジュールの駆動形式を例示する説明図である。
【図８】携帯電話装置の一例を示すブロック図である。
【図９】データプロセッサによる空き容量表示をアイコン表示で行う場合の表示態様を例示する説明図である。
【図１０】データプロセッサによる空き容量表示をレベルインジケータ表示で行う場合の表示態様を例示する説明図である。
【図１１】データプロセッサによるメモリカード内蔵フラッシュメモリチップの空き容量表示処理を示すフローチャートである。
【図１２】データプロセッサによる前記認証結果表示処理を示すフローチャートである。
【図１３】第２の例に係るメモリカードを端子面とチップ実装面で示す説明図である。
【図１４】図１３のメモリカードの機能ブロック図である。
【図１５】携帯電話装置のカードスロットに図１３のメモリカードを装着する状態を示す斜視図である。
【図１６】携帯電話装置に搭載されたメモリカードとパーソナルコンピュータとの間で赤外線通信を行う状態を例示する斜視図である。
【図１７】電波ＬＡＮをサポートする第３の例に係るメモリカードＭＣ４のブロック図である。
【図１８】無線ＬＡＮによるインタフェース手段を備えたメモリカードＭＣ４を用いた通信状態を示す斜視図である。
【図１９】メモリカードの１層配線基板の導電パターンで形成したアンテナを例示する説明図である。
【図２０】メモリカードの２層配線基板の導電パターンで形成したアンテナを例示する説明図である。
【図２１】送信電力を小さくする事ができるアンテナ制御回路を採用した第４の例に係るメモリカードのブロック図である。
【図２２】メモリカードの後端面からＬＥＤが露出された状態を示す斜視図である。
【符号の説明】
【００９０】
ＭＣ１  メモリカード
１  カード基板
２  コネクタ端子
５  コントローラチップ
４  フラッシュメモリチップ
１３  ＬＥＤモジュール
５０  インタフェースコントローラ
５１  ＬＥＤドライバ
５２  フラッシュッメモリコントローラ
５３  暗号化・復号回路
５４  セキュリティー回路
５５  セクタ管理テーブル
５６  オーソライゼーションコード管理テーブル
５７  暗証コード管理テーブル
ＭＣ２  メモリカード
１０３  データプロセッサ
１２１  表示コントローラ
１２２  カードインタフェースコントローラ
１２３  カードソケット
１２５  液晶ディスプレイ
１２６  ＬＥＤモジュール
ＭＣ３  メモリカード
１４  ＩｒＤＡモジュール
５Ａ  コントローラチップ
５０Ａインタフェースコントローラ
５１Ａ  ＩｒＤＡコントローラ
ＭＣ４  メモリカード
４Ｂ  強誘電体メモリチップ
５Ｂ  コントローラチップ
１６  電波ＬＡＮインタフェースモジュール
１７  アンテナ
５０Ｂ  インタフェースコントローラ
５２Ｂ  強誘電体メモリコントローラ
ＭＣ５  メモリカード
５Ｃ  コントローラチップ
１８  無線通信制御回路
１９  アンテナ
５０Ｃ  インタフェースコントローラ
【図１】
2006202336.tif 000003
【図２】
2006202336.tif 000004
【図３】
2006202336.tif 000005
【図４】
2006202336.tif 000006
【図５】
2006202336.tif 000007
【図６】
2006202336.tif 000008
【図７】
2006202336.tif 000009
【図８】
2006202336.tif 000010
【図９】
2006202336.tif 000011
【図１０】
2006202336.tif 000012
【図１１】
2006202336.tif 000013
【図１２】
2006202336.tif 000014
【図１３】
2006202336.tif 000015
【図１４】
2006202336.tif 000016
【図１５】
2006202336.tif 000017
【図１６】
2006202336.tif 000018
【図１７】
2006202336.tif 000019
【図１８】
2006202336.tif 000020
【図１９】
2006202336.tif 000021
【図２０】
2006202336.tif 000022
【図２１】
2006202336.tif 000023
【図２２】
2006202336.tif 000024